(57)【特許請求の範囲】
【請求項１】
それぞれアドレスを有する複数台の端末器と伝送ユニットとが第１の信号線を介して接続され、第１の入力を監視する端末器および第１の負荷を制御する端末器とに対して伝送ユニットがアドレスを指定した伝送信号を時分割多重伝送方式で伝送することにより、第１の入力に応じて第１の負荷が制御されるポーリング方式の第１の遠隔制御システムと、それぞれアドレスを有する複数台のノード装置が第２の信号線を介して接続され、第２の入力を監視するノード装置および第２の負荷を制御するノード装置の間でアドレスを指定した伝送信号を伝送することにより、第２の入力に応じて第２の負荷が制御されるコンテンション方式の第２の遠隔制御システムとの間に介在するように第１の信号線と第２の信号線とに接続される遠隔制御システムのシステム間インタフェースであって、第１の信号線を伝送される伝送信号と第２の信号線を伝送される伝送信号とをそれぞれ授受可能な第１信号処理部および第２信号処理部と、第１信号処理部で用いる前記端末器と等価なアドレスを複数個記憶したアドレス記憶部と、第２信号処理部で用いる前記ノード装置のアドレスを複数個記憶した状態記憶部と、アドレス記憶部と状態記憶部との互いのアドレスを一対一に対応付けるとともに第１の入力により第２の負荷を制御する情報伝送と第２の入力により第１の負荷を制御する情報伝送との少なくとも一方を可能とする制御部と、制御部において対応付けた各アドレスについて第１の入力により第２の負荷を制御する情報伝送と第２の入力により第１の負荷を制御する情報伝送とのいずれか一方の伝送方向をそれぞれ決める方向選択スイッチとを有することを特徴とする遠隔制御システムのシステム間インタフェース。
【請求項２】
前記制御部が第１の入力により第２の負荷を制御する情報伝送と第２の入力により第１の負荷を制御する情報伝送との両方を行うことを特徴とする請求項１記載の遠隔制御システムのシステム間インタフェース。
【請求項３】
前記制御部が第１の入力により第２の負荷を制御する情報伝送のみを行うことを特徴とする請求項１記載の遠隔制御システムのシステム間インタフェース。
【請求項４】
前記制御部が第２の入力により第１の負荷を制御する情報伝送のみを行うことを特徴とする請求項１記載の遠隔制御システムのシステム間インタフェース。
【請求項５】
前記状態記憶部には第１の遠隔制御システムにおけるアドレスに対応付けた前記ノード装置の負荷名称が設定可能であることを特徴とする請求項１ないし請求項４のいずれか１項に記載の遠隔制御システムのシステム間インタフェース。
【請求項６】
前記制御部が第１の遠隔制御システムのアドレスに第２の遠隔制御システムのアドレスを一対多対応させることを特徴とする請求項１ないし請求項４のいずれか１項に記載の遠隔制御システムのシステム間インタフェース。
【請求項７】
前記制御部が複数個の第２の負荷の動作状態についてＯＲ、ＡＮＤ、ＮＯＲ、ＮＡＮＤの４種類の演算結果を第１の遠隔制御システムに渡すことが可能であって、前記４種類の演算から１つの演算結果を選択して第１の遠隔制御システムに渡す演算選択スイッチが制御部に付加されていることを特徴とする請求項１ないし請求項４のいずれか１項に記載の遠隔制御システムのシステム間インタフェース。
【発明の詳細な説明】
【０００１】
【発明の属する技術分野】
本発明は、遠隔制御システムのシステム間インタフェースに関するものである。
【０００２】
【従来の技術】
従来から、複数台の端末器と１台の伝送ユニットとを信号線を介して接続し、各端末器に割り当てたアドレスを用いて伝送ユニットが時分割伝送方式によって各端末器にアクセスすることにより、端末器間におけるデータの授受を伝送ユニットが仲介するポーリング方式の遠隔制御システム（以下、「ポーリング式システム」という）が提案されている。この種の遠隔制御システムでは、スイッチの操作に応じて負荷を制御するために、スイッチの操作のような２値の監視入力を受け付ける端末器と、負荷を制御する端末器とが設けられている。伝送ユニットではスイッチ側の端末器と負荷側の端末器とのアドレスが対応付けてあり、スイッチ側の端末器が操作されたことを伝送ユニットが検出すると、伝送ユニットから負荷側の端末器にスイッチの操作を通知し、負荷側の端末器では負荷の動作を伝送ユニットを介してスイッチ側の端末器に伝送することにより負荷の動作状態をスイッチ側の端末器に設けた表示灯などで表示可能にしてある。
【０００３】
また、各端末器に通信用のマイコンをもたせることによって、各端末器が個々に独立して動作するとともに、伝送ユニットを用いることなく端末器同士が直接通信を行うコンテンション方式の遠隔制御システム（以下、「コンテンション式システム」という）も普及してきている。この種の遠隔制御システムでは、スイッチの操作を監視する端末器と負荷を制御する端末器との間で直接通信することになる。
【０００４】
【発明が解決しようとする課題】
上述した遠隔制御システムのうちポーリング式システムは現状では照明負荷の制御に主として採用されており、コンテンション式システムは現状では空調制御において主として採用されている。つまり、ポーリング式システムでは照明負荷の制御用に各種機能の端末器が製品化されており、コンテンション式システムは空調制御の分野では高い信頼性が期待できる。
【０００５】
ところで、ポーリング式システムとコンテンション式システムとを接続するにはインタフェースが必要である。ポーリング式システムでは、照明負荷の調光制御を行う機能を有するものもあるが、基本的には照明負荷のオン・オフを制御するから、インタフェースとしては、相互のシステム間においてオン・オフの情報を伝達すればよいと言える。つまり、情報を送るシステムでは端末器を通して接点をオン・オフさせ、情報を受けるシステムでは接点のオン・オフを端末器によって監視すればよい。言い換えると、各システムでは他方のシステムに制御用の接点出力を送る端末器と他方のシステムからの接点出力を受ける端末器との２台が必要であって、双方向に情報を授受するには、各システム２台ずつで合計４台の端末器が必要になる。通常は、一方のシステムから他方のシステムへの情報の伝送に２個の端末器を要し、他方のシステムでの動作確認を受け取るためにさらに２台の端末器を要することになる。このように、システム間の情報の授受のためには４台の端末器を付加しなければならない。
【０００６】
上述のように、一方のシステムで操作されたスイッチに対して他方のスイッチの１つの負荷を制御するために４台の端末器が必要であって、スイッチと負荷との組合せ数が増加すれば、端末器の台数も大幅に増加することになる。その結果、接続関係が複雑化するという問題が生じる。
【０００７】
本発明は上記事由に鑑みて為されたものであり、その目的は、ポーリング式システムとコンテンション式システムとの間で他方のシステムの負荷の制御・監視を可能とし、かつ入力と負荷との組合せ数が増加しても簡単な接続関係で対応可能な遠隔制御システムのシステム間インタフェースを提供することにある。
【０００８】
【課題を解決するための手段】
請求項１の発明は、それぞれアドレスを有する複数台の端末器と伝送ユニットとが第１の信号線を介して接続され、第１の入力を監視する端末器および第１の負荷を制御する端末器とに対して伝送ユニットがアドレスを指定した伝送信号を時分割多重伝送方式で伝送することにより、第１の入力に応じて第１の負荷が制御されるポーリング方式の第１の遠隔制御システムと、それぞれアドレスを有する複数台のノード装置が第２の信号線を介して接続され、第２の入力を監視するノード装置および第２の負荷を制御するノード装置の間でアドレスを指定した伝送信号を伝送することにより、第２の入力に応じて第２の負荷が制御されるコンテンション方式の第２の遠隔制御システムとの間に介在するように第１の信号線と第２の信号線とに接続される遠隔制御システムのシステム間インタフェースであって、第１の信号線を伝送される伝送信号と第２の信号線を伝送される伝送信号とをそれぞれ授受可能な第１信号処理部および第２信号処理部と、第１信号処理部で用いる前記端末器と等価なアドレスを複数個記憶したアドレス記憶部と、第２信号処理部で用いる前記ノード装置のアドレスを複数個記憶した状態記憶部と、アドレス記憶部と状態記憶部との互いのアドレスを一対一に対応付けるとともに第１の入力により第２の負荷を制御する情報伝送と第２の入力により第１の負荷を制御する情報伝送との少なくとも一方を可能とする制御部と、制御部において対応付けた各アドレスについて第１の入力により第２の負荷を制御する情報伝送と第２の入力により第１の負荷を制御する情報伝送とのいずれか一方の伝送方向をそれぞれ決める方向選択スイッチとを有することを特徴とする。
【０００９】
請求項２の発明は、請求項１の発明において、前記制御部が第１の入力により第２の負荷を制御する情報伝送と第２の入力により第１の負荷を制御する情報伝送との両方を行うことを特徴とする。
【００１０】
請求項３の発明は、請求項１の発明において、前記制御部が第１の入力により第２の負荷を制御する情報伝送のみを行うことを特徴とする。
【００１１】
請求項４の発明は、請求項１の発明において、前記制御部が第２の入力により第１の負荷を制御する情報伝送のみを行うことを特徴とする。
【００１２】
請求項５の発明は、請求項１ないし請求項４の発明において、前記状態記憶部には第１の遠隔制御システムにおけるアドレスに対応付けた前記ノード装置の負荷名称が設定可能であることを特徴とする。
【００１３】
請求項６の発明は、請求項１ないし請求項４の発明において、前記制御部が第１の遠隔制御システムのアドレスに第２の遠隔制御システムのアドレスを一対多対応させることを特徴とする。
【００１４】
請求項７の発明は、請求項１ないし請求項４の発明において、前記制御部が複数個の第２の負荷の動作状態についてＯＲ、ＡＮＤ、ＮＯＲ、ＮＡＮＤの４種類の演算結果を第１の遠隔制御システムに渡すことが可能であって、前記４種類の演算から１つの演算結果を選択して第１の遠隔制御システムに渡す演算選択スイッチが制御部に付加されていることを特徴とする。
【００１５】
【発明の実施の形態】
（第１の実施の形態）
本実施形態では、ポーリング式システム（本件出願人が提唱している「フル２線リモコンシステム」を想定する）とコンテンション式システム（エシュロン社が提唱する「ＬｏｎＷｏｒｋｓシステム」を想定する）との間で相互に情報の授受を可能としたシステム間インタフェースを例示する。本発明において使用するシステム間インタフェースは、基本的には図２に示す形態で使用されるものであって、ポーリング式システム１の信号線Ｌｓ１とコンテンション式システム２の信号線Ｌｓ２との間にシステム間インタフェース３が接続される。
【００１６】
ポーリング式システム１では、アドレスの設定された複数台の端末器１１が信号線Ｌｓ１を介して伝送ユニット１０と接続される。伝送ユニット１０は端末器１１のアドレスを指定する時分割多重伝送方式の伝送信号を信号線Ｌｓ１に送出し、伝送信号により選択されたアドレスに一致するアドレスが設定されている端末器１１では伝送信号を受信して伝送信号により指示された内容の動作を行う。伝送信号には、伝送ユニット１０からの送信先となる端末器１１のアドレス、制御内容を指示する制御データ、端末器１１からの情報を受け付ける信号返送期間が少なくとも含まれる。たとえば、スイッチ（以下では、基本的にスイッチを想定するが、センサのような他の入力（ワイヤレススイッチ、カードスイッチ、接点入力、熱線センサなど）でもよい）の操作を監視する端末器１１であれば伝送信号によりアドレスが選択されるとスイッチの操作内容を返送するのであり、負荷を制御する端末器１１であれば伝送信号によりアドレスが選択されると伝送信号に含まれる制御内容に従って負荷を制御する。また、負荷を制御したことは伝送信号の信号返送期間に伝送され、負荷が制御されたことを確認するために用いられる。
【００１７】
一方、コンテンション式システム２では、信号線Ｌｓ２に複数台のノード装置２１が接続され、各ノード装置２１では信号線Ｌｓ２に他のノード装置２１からのキャリアが存在するか否かを監視し、他のノード装置２１からのキャリアが検出されない期間に必要に応じてノード装置２１から信号線Ｌｓ２に所望の伝送信号を送出するように構成されている。伝送信号には、送信元のノード装置２１のアドレスである送信元アドレス、送信先のノード装置２１のアドレスである送信先アドレス、制御内容を指示するネットワーク変数が少なくとも含まれる。たとえば、スイッチを備えるノード装置２１ではスイッチが操作されると、信号線Ｌｓ２にキャリアが存在しないことを確認し送信先アドレスを指定して信号線Ｌｓ２に伝送信号を送出する。伝送信号により指定された送信先アドレスに一致するアドレスを有するノード装置２１は伝送信号を受信しネットワーク変数の内容に従って動作する。この場合には、送信先のノード装置２１から送信元のノード装置２１に対して確認の伝送信号が送られる。
【００１８】
上述のようなポーリング式システム１とコンテンション式システム２との間に介在するシステム間インタフェース３は、図１に示すように、ポーリング式システム１の信号線Ｌｓ１に接続されて端末器１１と同様に伝送ユニット１０との間で時分割伝送方式により伝送される信号の送受信を行う第１信号処理部３１と、コンテンション式システム２の信号線Ｌｓ２にトランシーバ３３を介して接続されノード装置２１と同様に他のノード装置２１との間で信号の送受信を行う第２信号処理部３２とを備える。第１信号処理部３１と第２信号処理部３２との間にはマイコンを主構成とする制御部３０が設けられ、第１信号処理部３１と第２信号処理部３２との間で相互に信号形式を変換する。システム間インタフェース３の電源は電源部３４を通して供給され、電源部３４には通電表示灯３５が付設される。
【００１９】
ところで、制御部３０には、ポーリング式システム１とコンテンション式システム２とのどちらにも対応するために、ポーリング式システム１に用いるアドレスを設定するためのアドレス設定部１２およびアドレス記憶部１３を備える。アドレス設定部１２はアドレスを設定する設定器４との間でワイヤレス信号を送受する機能を有する。設定器４からワイヤレス信号を用いて伝送されたアドレスはＥＥＰＲＯＭのような不揮発性メモリからなるアドレス記憶部１３に書き込まれる。本実施形態におけるアドレス記憶部１３には最大で１６個のアドレスを設定可能であって、制御部１０は１６台分の端末器１１と等価に機能する。ここに、ポーリング式システム１からの信号を受信したときや、設定器４から送信されたワイヤレス信号を受信したときに点滅する受信表示灯１４が制御部３０に付設される。さらに、本実施形態ではアドレス記憶部１３に格納される複数のアドレスの組合せを複数種類（実施形態では４種類）から選択可能であり、どの組合せを用いるかは制御部３０に設けた組合せ切替スイッチ１５により選択される。
【００２０】
一方、コンテンション式システム２に対応するために、ノード装置２１に制御内容を指示するためのネットワーク変数とアドレスとの関係が格納された状態記憶部２２が設けられ、状態記憶部２２にはノード装置２１に対応する１６個のアドレスがネットワーク変数に対応付けて格納される。状態記憶部２２はＥＥＰＲＯＭのような不揮発性メモリからなり、基本的には信号線Ｌｓ２を通して状態記憶部２２の内容が設定される。制御部３０には信号線Ｌｓ２を伝送信号が伝送されているときに点灯する信号灯２３と、状態記憶部２２に格納されたアドレスに一致する伝送信号を信号線Ｌｓ２から受信したときに点灯する信号受信灯２４とが設けられる。さらに、第２信号処理部３２にはサービスピン（スイッチ）２５およびサービス灯２６が設けられ、サービスピン２５をオンにすると信号線Ｌｓ２に状態記憶部２２の内容を送出し、またサービス灯２６は状態記憶部２２にネットワーク変数とアドレスとがそれぞれ登録されているか否かを点灯状態によって報知する。
【００２１】
本実施形態では上述のようにポーリング式システム１とコンテンション式システム２とに対応するアドレスをそれぞれ１６個ずつ備え、互いのアドレスを対応付けてある。ここでは、互いのアドレスが一対一に対応付けられているものとする。本発明はポーリング式システム１とコンテンション式システム２との間で相互に情報を授受するものであるが、各アドレスについては情報を一方向にしか伝送することができない。そこで、情報の伝送方向を設定するために、ポーリング式システム１とコンテンション式システム２とにおいて対応付けられている対になるアドレスごとに、情報の伝送方向を規定するために方向選択スイッチ３６が制御部３０に付設される。
【００２２】
方向選択スイッチ３６はたとえばアドレスに対応付けた１６点の接点を備えるディップスイッチからなり、各接点のオン・オフによってポーリング式システム１とコンテンション式システム２との間で情報を伝送する方向が決められる。たとえば、各接点についてオンがポーリング式システム１からコンテンション式システム２への情報伝送を意味し、オフがコンテンション式システム２からポーリング式システム１への情報伝送を意味する。要するに、本実施形態では１６点のインタフェースを備えることと等価であって、各点ごとに情報伝送の向きを指定可能としてある。たとえば、図４（ｂ）に示す例では、１６点にそれぞれ番号を付与し、２番と４番のみをオンにし（ポーリング式システム１からコンテンション式システム２への伝送）、残りをすべてオフにしてある。なお、方向選択スイッチ３６ではなく、コンテンション式システム２の信号線Ｌｓ２を通して情報の伝送方向を指示するようにしてもよい。
【００２３】
各点の制御内容の一例を図５に示す。図５の右欄はポーリング式システム１のアドレスを意味し、「個別」「グループ」「パターン」はアドレスの設定方式を意味する。つまり、ポーリング式システム１の端末器１１にはアドレスが設定されているから、１個のスイッチによって１個の負荷を制御するだけではなく（このような制御を「個別」制御と呼んでいる）、１個のスイッチによって複数個の負荷を一斉制御することが可能であり、一斉制御については制御対象となる複数個の負荷を同じ状態に制御する「グループ」制御と、制御対象となる複数個の負荷の制御パターンをあらかじめ登録しておきスイッチの操作時に登録された制御パターンで負荷を制御する「パターン」制御とがある。図５の左欄はこれらの制御方式の種別を表している。ポーリング式システム１では、これらのアドレスのほかに照明負荷の「調光」制御に用いられるアドレスもある。また、図５の右欄に示した矢印様のシンボルは、コンテンション式システム２における命令（ネットワーク変数）の流れを示す。「制御」はコンテンション式システム２からポーリング式システム１への指示、「操作」はポーリング式システム１からコンテンション式システム２への指示、「状態変化返信」は指示に対する応答を示す。また、「名称登録」はポーリング式システム１のアドレスに対応付けたコンテンション式システム２のノード装置２１に名称を付けてシステム間インタフェース３に登録することを意味する。
【００２４】
まず、コンテンション式システム２においてスイッチを備えるノード装置２１からの指示によってポーリング式システム１の端末器１１に接続した負荷（主として照明負荷）を制御する場合について説明する。このとき、第１信号処理部３１が、ポーリング式システム１の信号線Ｌｓ１に対してスイッチの操作を監視する端末器１１と同様の機能で動作する。この種の端末器１１のアドレスは、上述のように、「個別」「グループ」「パターン」「調光」のいずれかに設定されている。しかして、本実施形態では、アドレスが「個別」「調光」「グループ」の場合と「パターン」の場合とでシステム間インタフェース３の処理を異ならせている。
【００２５】
アドレスが「個別」「調光」「グループ」の場合には、以下のように動作する。まず、コンテンション式システム２のノード装置２１に設けたスイッチの操作によりポーリング式システム１の端末器１１に接続した照明負荷をオンにする指示がなされた場合について説明する（図５の最上段など）。
【００２６】
この場合、第１信号処理部３１では、コンテンション式システム２のノード装置２１に対応付けられているポーリング式システム１のアドレス（スイッチ）の状態を確認し、当該アドレスの状態がオフであればポーリング式システム１において当該アドレスに対応付けられているアドレスにオンの指示を行い負荷をオンにする。つまり、ポーリング式システム１でスイッチの操作を監視する端末器１１においてスイッチがオンになったときと同様に動作する。この指示によって負荷の接続された端末器１１において負荷が制御されると、負荷の状態が伝送ユニット１０を介して第１信号処理部３１に返送されるから、システム間インタフェース３では返送された負荷状態をコンテンション式システム２においてスイッチが操作されたノード装置２１に返信する（状態変化返信）。
【００２７】
また、ポーリング式システム１の対応するアドレス（スイッチ）の状態を確認したときに、オンであればポーリング式システム１に対する処理を行わずに、コンテンション式システム２においてスイッチが操作されたノード装置２１に対して、その状態を返信する（状態変化返信）。
【００２８】
次に、コンテンション式システム２のノード装置２１に設けたスイッチの操作によりポーリング式システム１の端末器１１に接続した照明負荷をオフにする指示がなされた場合について説明する。
【００２９】
この場合、第１信号処理部３１では、コンテンション式システム２のノード装置２１に対応付けられているポーリング式システム１のアドレス（スイッチ）の状態を確認し、当該アドレスの状態がオンであればポーリング式システム１において当該アドレスに対応付けられているアドレスにオフの指示を行い負荷をオフにする。つまり、ポーリング式システム１でスイッチの操作を監視する端末器１１においてスイッチがオフになったときと同様に動作する。この指示によって負荷の接続された端末器１１において負荷が制御されると、負荷の状態が伝送ユニット１０を介して第１信号処理部３１に返送されるから、システム間インタフェース３では返送された負荷状態をコンテンション式システム２においてスイッチが操作されたノード装置２１に返信する（状態変化返信）。
【００３０】
また、ポーリング式システム１の対応するアドレス（スイッチ）の状態を確認したときに、オフであればポーリング式システム１に対する処理を行わずに、コンテンション式システム２においてスイッチが操作されたノード装置２１に対して、その状態を返信する（状態変化返信）。
【００３１】
コンテンション式システム２のノード装置２１は、オン・オフの指示だけではなく、システム間インタフェース３に対してポーリング式システム１に設けたスイッチの状態確認を指示することも可能であって、この場合には第１信号処理部３１を通してポーリング式システム１の対応するアドレス（スイッチ）の状態を確認し、コンテンション式システム２のノード装置２１に状態情報を返信する（状態変化返信）。さらに、ポーリング式システム１における負荷の状態が変化したときには、ポーリング式システム１のアドレス（スイッチ）が状態照合により状態変化を認識した時点でコンテンション式システム２のノード装置２１に対して、システム間インタフェース３から状態情報を送信する（状態変化返信）。
【００３２】
ところで、ポーリング式システム１のアドレスが「パターン」の場合には、以下のように動作する。まず、コンテンション式システム２のノード装置２１に設けたスイッチの操作によりポーリング式システム１１の「パターン」制御を有効（オン）にする指示がなされた場合について説明する。
【００３３】
この場合、第１信号処理部３１では、コンテンション式システム２のノード装置２１に対応付けられているポーリング式システム１のアドレス（スイッチ）の状態を確認し、当該アドレスの「パターン」制御が無効（オフ）であればポーリング式システム１において当該アドレスに対応付けられているアドレスで「パターン」制御を有効（オン）にし負荷の「パターン」制御を行う。このようにして負荷が「パターン」制御されると、「パターン」制御が有効になったことが伝送ユニット１０を介して第１信号処理部３１に返送されるから、システム間インタフェース３では返送された情報をコンテンション式システム２においてスイッチが操作されたノード装置２１に対して返信する（状態変化返信）。
【００３４】
また、ポーリング式システム１の対応するアドレス（スイッチ）の状態を確認したときに、「パターン」制御がすでに有効（オン）であった場合には、ポーリング式システム１に対する処理を行わずに、コンテンション式システム２においてスイッチが操作されたノード装置２１に対して、その状態を返信する（状態変化返信）。
【００３５】
ところで、コンテンション式システム２のノード装置２１に設けたスイッチの操作によりポーリング式システム１の「パターン」制御を無効（オフ）にする指示がなされた場合には、ポーリング式システム１の対応するアドレス（スイッチ）の状態を確認し、コンテンション式システム２においてスイッチを操作したノード装置２１に状態情報を返信する（状態変化返信）。ただし、「パターン」制御を無効にする指示はポーリング式システム１では実行されずに無視される。
【００３６】
「パターン」制御の際にも、コンテンション式システム２のノード装置２１は、システム間インタフェース３に対してポーリング式システム１に設けた「パターン」制御の状態確認を指示することが可能であって、この場合には第１信号処理部３１を通してポーリング式システム１の対応するアドレス（スイッチ）の状態を確認し、コンテンション式システム２のノード装置２１に状態情報を返信する（状態変化返信）。さらに、ポーリング式システム１における負荷の状態が変化したときには、ポーリング式システム１のアドレス（スイッチ）が状態照合により状態変化を認識した時点でコンテンション式システム２のノード装置２１に対して、システム間インタフェース３から状態情報を送信する（状態変化返信）。
【００３７】
上述の例では、コンテンション式システム２からの指示によってポーリング式システム１の負荷が制御される動作について説明したが、逆に、ポーリング式システム１からの指示によってコンテンション式システム２の負荷が制御される動作について以下に説明する。
【００３８】
つまり、ポーリング式システム１の端末器１１に設けたスイッチの操作によってコンテンション式システム２のノード装置２１に設けた照明負荷を制御するものとすれば（図５の２段目など参照）、ポーリング式システム１においてスイッチの操作を監視する端末器１１から照明負荷の点灯または消灯の指示がなされると、システム間インタフェース３では、第２信号処理部３２を通してコンテンション式システム２のノード装置２１に照明負荷の点灯または消灯の命令を与える（「操作」）。「操作」を受け取ったノード装置２１は照明負荷を制御するとともにその状態を返信する（「状態変化返信」）。システム間インタフェース３では、「状態変化返信」を受けると、これをポーリング式システム１の対応するアドレスの状態に対応付け、ポーリング式システム１においてスイッチの操作を監視している端末器１１に負荷状態が変化したことを報知する（つまり、端末器１１に設けた表示灯の点灯状態を変更する）。
【００３９】
ここに、コンテンション式システム２のノード装置２１に負荷状態の変化を返送する機能が設定されていないときには、コンテンション式システム２のノード装置２１に「操作」を出力したときにポーリング式システム１に対して負荷状態の変化を報知する。また、ポーリング式システム１からの指示以外でコンテンション式システム２のノード装置２１に設けた照明負荷の状態が変化したときに、そのノード装置２１に対応付けられた端末器１１がポーリング式システム１に存在するときには、「状態変化返信」をシステム間インタフェース３が受信した時点で対応する情報がポーリング式システム１の伝送ユニット１０を通して端末器１１に伝送される。
【００４０】
コンテンション式システム２のノード装置２１からの「状態変化返信」に関する動作を図６に示して簡単に説明する。ノード装置２１からの「状態変化返信」があれば（Ｓ１）、ポーリング式システム１が正常に動作しているか否かを確認し（Ｓ２）、制御が可能であればアドレス記憶部１３にアドレスが設定されているか否かを確認する（Ｓ３）。アドレスが設定されていれば、そのアドレスが一斉制御（「パターン」制御、「グループ」制御）中か否かを確認し（Ｓ４）、一斉制御中でなければポーリング式システム１の当該アドレスに対応する端末器１１に負荷の制御を指示する（Ｓ５）。また、ステップＳ４において一斉制御中であれば、制御を中止する（Ｓ９）。
【００４１】
ところで、ステップＳ３においてポーリング式システム１のアドレスが存在しなければ、アドレス設定モードか否かを確認し（Ｓ６）、アドレス設定モードであればノード装置２１からの「状態変化返信」を一端保持し（Ｓ７）、アドレス設定モードが解除されるまで待ってから（Ｓ８）、ポーリング式システム１の端末器１１に負荷の制御を指示する（Ｓ５）。ステップＳ６においてアドレス設定モードでなければ、アドレスが存在しないのであるから、制御を中止する（Ｓ９）。同様に、ステップＳ２においてポーリング式システム１が正常に動作していない場合も制御を中止する（Ｓ９）。
【００４２】
上述したシステム間インタフェース３は、図３に示すように、分電盤協約寸法の器体４０に収納される。器体４０の両側部にはそれぞれねじ付き端子を備える端子台４１が設けられる。図３（ａ）の左側の端子台４１には、ポーリング式システム１の信号線Ｌｓ１が接続される信号端子Ｔ１と、電源（交流２４Ｖ）に接続される電源端子Ｔ２とが設けられる。また、右側の端子台４１にはコンテンション式システム２の信号線Ｌｓ２が接続される信号端子Ｔ３と、接地される接地端子Ｔ４とが設けられる。器体４０の前面（図３（ａ）の正面）には、通電表示灯３５、受信表示灯１４、信号灯２３，信号受信灯２４、アドレス設定部１２などが配置され、さらに、ポーリング式システム１のアドレスとコンテンション式システム２のアドレス（「負荷名称」：負荷のみではなくスイッチも含む）とを対応付けて表示するネーム部４２も器体４０の前面に設けられる。器体４０の前面には扉４３が設けられ、扉４３に覆われる部位には、図４（ａ）のように、上述した組合せ切替スイッチ１５、サービスピン２５、サービス灯２６、方向選択スイッチ３６が配置される。
【００４３】
以上説明したように、本実施形態ではポーリング式システム１の端末器１１とコンテンション式システム２のノード装置２１との間で情報を交換可能とするインタフェースの機能を１６点備えるから、１６点のインタフェースを個々に構成する場合に比較してシステム構成が簡単であり、信号線Ｌｓ１，Ｌｓ２との接続も容易である。
【００４４】
（第２の実施の形態）
本実施形態は、図７に示すように、第１の実施の形態のうちコンテンション式システム２からポーリング式システム１への「操作」の機能を省略したものである。したがって方向選択スイッチ３６は省略され、図８のように器体４０の前面において扉４３に覆われる部位には、組合せ切替スイッチ１５、サービスピン２５、サービス灯２６のみが配置されている。また、ポーリング式システム１からコンテンション式システム２への「操作」のみになるから、図９に示すように、図５における「ランプアクチュエータ」の機能は本実施形態では省略されている。他の構成および動作は第１の実施の形態と同様である。
【００４５】
この構成では、ポーリング式システム１からコンテンション式システム２への「操作」専用であるから、ポーリング式システム１のアドレスはつねに負荷を制御する端末器１１のアドレスになりアドレス設定が容易になる。また、コンテンション式システム２からみるとシステム間インタフェース３がつねにスイッチを備えるノード装置２１とみなせることになりシステム構築が容易になる。
【００４６】
（第３の実施の形態）
本実施形態は、第２の実施の形態とは逆に、第１の実施の形態のうちポーリング式システム１からコンテンション式システム２への「制御」の機能を省略したものである。したがって、本実施形態においても方向選択スイッチ３６（図１参照）は不要になる。また、コンテンション式システム２からポーリング式システム１への「制御」のみになるから、図１０に示すように、図５における「スイッチ」の機能は本実施形態では省略されている。他の構成および動作は第１の実施の形態と同様である。
【００４７】
この構成では、コンテンション式システム２からポーリング式システム１への「制御」専用であるから、ポーリング式システム１のアドレスはつねにスイッチの操作を監視する端末器１１のアドレスになりアドレス設定が容易になる。また、コンテンション式システム２からみるとシステム間インタフェース３がつねに負荷を備えるノード装置２１とみなせることになりシステム構築が容易になる。なお、本実施形態のシステム間インタフェース３と第２の実施の形態におけるシステム間インタフェース３とを組み合わせて用いると、ポーリング式システム１とコンテンション式システム２との間で「制御」と「操作」とが可能になり、第１の実施の形態と同様のシステムを構築することが可能であり、この場合に各システム間インタフェース３は「制御」または「操作」のみが可能であるから、アドレスの設定などが容易になる点で第１の実施の形態よりも利便性が高まる。
【００４８】
（第４の実施の形態）
ところで、図９に示すように、ポーリング式システム１からコンテンション式システム２に「操作」を指示するときには、ポーリング式システム１の「個別」アドレスを用いることになる。言い換えると、ポーリング式システム１における１つのスイッチの操作には、コンテンション式システム２における１つのアドレスが対応付けられる。しかしながら、ポーリング式システム１においては、１つのスイッチで複数の負荷を制御する機能（「グループ」制御や「パターン」制御）があるから、類似した機能をコンテンション式システム２のノード装置２１に対しても実現することができれば便利である。つまり、ポーリング式システム１において用いることができるアドレス数には制限があり、端末器１１とノード装置２１とを一対一に対応付けると、ポーリング式システム１の端末器１１の間で使用可能なアドレス数が少なくなるおそれがある。そこで、端末器１１のアドレスに対するノード装置２１のアドレスの対応関係を一対一以外に一対多とすることを可能とする構成を採用している。ただし、基本的な構成は第２の実施の形態と同様に、ポーリング式システム１からコンテンション式システム２への「操作」のみが可能な構成を採用している。
【００４９】
本実施形態の基本的な構成は、図１１に示すように、図７に示した第２の実施の形態と同様であって、３ビットのディップスイッチからなる対応選択スイッチ１６と、２ビットのディップスイッチからなる演算選択スイッチ１７とを付加した点が主な相違点である。対応選択スイッチ１６および演算選択スイッチ１７は、図１２（ａ）のように、組合せ切替スイッチ１５とともに器体４０において扉４３に覆われる部位に配置される。つまり、図１２（ｂ）に示すように、少なくとも５ビットのディップスイッチが配置される。他のディップスイッチは予備である。
【００５０】
しかして、本実施形態では、ポーリング式システム１の１個のアドレスで制御可能なコンテンション式システム２のアドレス数を、１、２、４、８、１６から選択可能にしてある。要するに、ポーリング式システム１のアドレス数：コンテンション式システム２のアドレス数は、１：１、１：２、１：４、１：８、１：１６から選択できる。この選択のために対応選択スイッチ１６が設けられているのであって、対応選択スイッチ１６の設定値とアドレス数の比との関係は、設定値が０、１、２、３、４であるときに、それぞれ１：１、１：２、１：４、１：８、１：１６にしてある。換言すれば、設定値が０、１、２、３、４のときにポーリング式システム１のアドレスは、それぞれ１６個、８個、４個、２個、１個の使用になる。
【００５１】
上述のように、ポーリング式システム１の１個のスイッチによってコンテンション式システム２の複数の負荷の制御を可能としたときに、「状態変化返信」が複数のノード装置２１から返送されることになる。そこで、本実施形態では、制御部３０において「状態変化返信」を適宜に組み合わせて１つの情報にまとめてポーリング式システム１に引き渡すことを可能にしている。「状態変化返信」は２値信号であって、ここではオンを１に割り当て、オフを０に割り当ててある。このように複数の２値信号を１信号にまとめるために、本実施形態では「ＯＲ」「ＡＮＤ」「ＮＯＲ」「ＮＡＮＤ」の４つの論理演算を選択して用い、どの論理演算を適用するかは演算選択スイッチ１７により選択する。具体的には、演算選択スイッチ１７による設定値が０、１、２、３のときに、それぞれ「ＯＲ」「ＡＮＤ」「ＮＯＲ」「ＮＡＮＤ」が選択される。各論理演算を適用したときに得られる情報について以下に説明する。
【００５２】
まず、「ＯＲ」が選択されると、コンテンション式システム２において制御されるノード装置２１が１台でもオンであれば演算結果はオンになる。つまり、コンテンション式システム２のノード装置２１についてオフが希望状態である場合に、オンのノード装置２１の有無を監視するために使用することができる。たとえば、ノード装置２１が照明負荷を点灯・消灯させるものであれば、「ＯＲ」の演算結果でオンの出力が発生することは少なくとも１台の照明負荷が点灯していることを意味するから、照明負荷の消し忘れの有無を監視するために用いることができる。その結果、ポーリング式システム１において照明負荷の消し忘れが表示されたときには、ポーリング式システム１側のスイッチを操作してすべての照明負荷を消灯させることが可能になる。
【００５３】
「ＡＮＤ」が選択されたときには、コンテンション式システム２において制御されるノード装置２１が１台でもオフであれば演算結果はオフになる。つまり、コンテンション式システム２のノード装置２１についてオンが希望状態である場合に、オフのノード装置２１の有無を監視するために使用することができる。たとえば、ノード装置２１が各種機器を制御するものであれば、「ＡＮＤ」の演算結果でオフの出力が発生することは少なくとも１台の機器が停止したことを意味するから、機器停止の有無を監視するために用いることができる。その結果、すべての機器を運転状態にする必要があるときに停止している機器があることがポーリング式システム１において表示されたときに、ポーリング式システム１側のスイッチを操作してすべての機器を運転状態に移行させることが可能になる。
【００５４】
「ＮＯＲ」が選択されると、コンテンション式システム２において制御されるノード装置２１が１台でもオンであれば演算結果はオフになる。逆に言えば、コンテンション式システム２において制御されるノード装置２１がすべてオフの場合にのみ演算結果がオンになる。したがって、コンテンション式システム２において制御される各種機器がすべて停止したときには演算結果がオンになるから、この場合に異常が生じたものとして、ポーリング式システム１におけるスイッチの操作による指示を受け付けないようにすることができる。つまり、一種の安全スイッチとして用いることができる。
【００５５】
「ＮＡＮＤ」が選択された場合には、コンテンション式システム２において制御されるノード装置２１が１台でもオフであれば演算結果はオンになる。つまり、コンテンション式システム２のノード装置２１のうちの１台でもオフであるときには、ポーリング式システム１においてオンの表示とすることができる。ポーリング式システム１においてスイッチの操作を監視する端末器１１では、オンの表示がなされていると次のスイッチの操作で負荷をオフにするから、コンテンション式システム２における制御対象である機器をこのスイッチの操作によって一斉に停止させることが可能になる。つまり、コンテンション式システム２で制御される機器が１台でも停止した場合に、所定範囲内の他のすべての機器をオフにする安全スイッチとして用いることが可能になる。
【００５６】
なお、上述の例ではディップスイッチにより対応選択スイッチ１６および演算選択スイッチ１７を構成しているが、対応選択スイッチ１６および演算選択スイッチ１７を用いずに、コンテンション式システム２の信号線Ｌｓ２を通して同様の選択を指示してもよい。また、本実施形態において端末器１１とノード装置２１とを一対多対応させる場合で、「ＯＲ」「ＡＮＤ」「ＮＯＲ」「ＮＡＮＤ」の演算を行う例を示したが、端末器１１とノード装置２１とが一対一対応の場合でも、ノード装置２１の動作状態の監視のために「ＯＲ」「ＡＮＤ」「ＮＯＲ」「ＮＡＮＤ」の演算を行うようにしてもよいのはもちろんのことである。他の構成および動作は第１の実施の形態と同様である。
【００５７】
【発明の効果】
請求項１の発明は、それぞれアドレスを有する複数台の端末器と伝送ユニットとが第１の信号線を介して接続され、第１の入力を監視する端末器および第１の負荷を制御する端末器とに対して伝送ユニットがアドレスを指定した伝送信号を時分割多重伝送方式で伝送することにより、第１の入力に応じて第１の負荷が制御されるポーリング方式の第１の遠隔制御システムと、それぞれアドレスを有する複数台のノード装置が第２の信号線を介して接続され、第２の入力を監視するノード装置および第２の負荷を制御するノード装置の間でアドレスを指定した伝送信号を伝送することにより、第２の入力に応じて第２の負荷が制御されるコンテンション方式の第２の遠隔制御システムとの間に介在するように第１の信号線と第２の信号線とに接続される遠隔制御システムのシステム間インタフェースであって、第１の信号線を伝送される伝送信号と第２の信号線を伝送される伝送信号とをそれぞれ授受可能な第１信号処理部および第２信号処理部と、第１信号処理部で用いる前記端末器と等価なアドレスを複数個記憶したアドレス記憶部と、第２信号処理部で用いる前記ノード装置のアドレスを複数個記憶した状態記憶部と、アドレス記憶部と状態記憶部との互いのアドレスを一対一に対応付けるとともに第１の入力により第２の負荷を制御する情報伝送と第２の入力により第１の負荷を制御する情報伝送との少なくとも一方を可能とする制御部と、制御部において対応付けた各アドレスについて第１の入力により第２の負荷を制御する情報伝送と第２の入力により第１の負荷を制御する情報伝送とのいずれか一方の伝送方向をそれぞれ決める方向選択スイッチとを有するものであり、ポーリング方式の第１の遠隔制御システムとコンテンション方式の第２の遠隔制御システムとの一方の入力に他方の負荷を対応付けることが可能になり、しかも第１の遠隔制御システムに対しては複数台の端末器と等価に機能し、第２の遠隔制御システムに対してはノード装置と等価に機能するから、第１の信号線と第２の信号線とに接続するだけの簡単な接続関係で複数の入力および負荷に対応することが可能になる。さらに、方向選択スイッチを備えるから、第１の遠隔制御システムと第２の遠隔制御システムとの間で対応付けたアドレスごとに情報を伝送する方向を決めることができる。
【００５８】
請求項２の発明は、請求項１の発明において、前記制御部が第１の入力により第２の負荷を制御する情報伝送と第２の入力により第１の負荷を制御する情報伝送との両方を行うものであり、第１の信号線と第２の信号線との間に１台のシステム間インターフェースを接続するだけの簡単な構成で第１の遠隔制御システムと第２の遠隔制御システムとで相互に入力と負荷とを関係付けることが可能になる。
【００５９】
請求項３の発明は、請求項１の発明において、前記制御部が第１の入力により第２の負荷を制御する情報伝送のみを行うものであり、アドレス記憶部には負荷を制御する端末器のアドレスのみを設定すればよく、また第２信号処理部はスイッチ側のノード装置として機能させればよいから、単機能化されシステム構築が容易である。
【００６０】
請求項４の発明は、請求項１の発明において、前記制御部が第２の入力により第１の負荷を制御する情報伝送のみを行うものであり、アドレス記憶部には入力を監視する端末器のアドレスのみを設定すればよく、また第２信号処理部は負荷側のノード装置として機能させればよいから、単機能化されシステム構築が容易である。
【００６１】
請求項５の発明は、請求項１ないし請求項４の発明において、前記状態記憶部には第１の遠隔制御システムにおけるアドレスに対応付けた前記ノード装置の負荷名称が設定可能であることを特徴とするものであり、第２の遠隔制御システムからはシステム間インタフェースは１つのノード装置とみなされるが、複数のノード装置に対応する負荷名称を設定可能としたことによって、ノード装置の端末器との対応関係が分かりやすくなる。
【００６２】
請求項６の発明は、請求項１ないし請求項４の発明において、前記制御部が第１の遠隔制御システムのアドレスに第２の遠隔制御システムのアドレスを一対多対応させるものであり、第１の遠隔制御システムにおける１台の端末器で第２の遠隔制御システムにおける複数台のノード装置を一括制御することが可能になる。
【００６３】
請求項７の発明は、請求項１ないし請求項４の発明において、前記制御部が複数個の第２の負荷の動作状態についてＯＲ、ＡＮＤ、ＮＯＲ、ＮＡＮＤの４種類の演算結果を第１の遠隔制御システムに渡すことが可能であって、前記４種類の演算から１つの演算結果を選択して第１の遠隔制御システムに渡す演算選択スイッチが制御部に付加されているものであり、複数個の第２の負荷の動作状態の論理演算によって１つの演算結果を第１の遠隔制御システムに渡すから、第１の遠隔制御システムにおいて複数個の負荷の特定の動作状態を一括管理することが可能になり、たとえば第２の負荷の消し忘れや異常状態の監視を行うことができ、このような監視結果に対応させて第２の負荷を一括制御するようなスイッチを第１の遠隔制御システムに設けておけば、第２の負荷の消し忘れ時に第２の負荷を一斉に消す（オフ）にするような制御が可能になる。
【図面の簡単な説明】
【図１】本発明の第１の実施の形態を示すブロック図である。
【図２】同上の使用形態を示すブロック図である。
【図３】同上の外観を示し、（ａ）は正面図、（ｂ）は側面図、（ｃ）は下面図である。
【図４】（ａ）（ｂ）はそれぞれ同上の要部正面図である。
【図５】同上の動作説明図である。
【図６】同上の動作説明図である。
【図７】本発明の第２の実施の形態を示すブロック図である。
【図８】同上の要部正面図である。
【図９】同上の動作説明図である。
【図１０】本発明の第３の実施の形態を示す動作説明図である。
【図１１】本発明の第４の実施の形態を示すブロック図である。
【図１２】（ａ）（ｂ）はそれぞれ同上の要部正面図である。
【符号の説明】
１  ポーリング式システム
２  コンテンション式システム
１０  伝送ユニット
１１  端末器
１３  アドレス記憶部
１６  対応選択スイッチ
１７  演算選択スイッチ
２１  ノード装置
２２  状態記憶部
３０  制御部
３１  第１信号処理部
３２  第２信号処理部
Ｌｓ１  信号線
Ｌｓ２  信号線
【図１】
0003664092.tif 000002
【図２】
0003664092.tif 000003
【図３】
0003664092.tif 000004
【図４】
0003664092.tif 000005
【図５】
0003664092.tif 000006
【図６】
0003664092.tif 000007
【図７】
0003664092.tif 000008
【図８】
0003664092.tif 000009
【図９】
0003664092.tif 000010
【図１０】
0003664092.tif 000011
【図１１】
0003664092.tif 000012
【図１２】
0003664092.tif 000013